(57)【要約】【課題】パンを焼いて食器Ｗに載せた場合に、かかるパンから生じる蒸気に起因した湿り気をパンの下側にできるだけ生じさせないようにする。【解決手段】パンＰを載せる食器Ｗに置かれてこの食器Ｗの上面とパンＰとの間に間隔ｘを形成させるパン用補助食器１である。両筒端３、３を共に開放させた筒状をなすと共に、少なくとも一方の筒端３が、筒軸を巡る向きにおいて隣り合う突出部４との間に間隔を開けて三つ以上の突出部４を備えるように形成されており、前記突出部４をもってパンＰに接するようになっている。【選択図】図４
2014161479.tif 000002
【特許請求の範囲】
【請求項１】
パンを載せる食器に置かれてこの食器の上面とパンとの間に間隔を形成させるパン用補助食器であって、
両筒端を共に開放させた筒状をなすと共に、少なくとも一方の筒端が、筒軸を巡る向きにおいて隣り合う突出部との間に間隔を開けて三つ以上の突出部を備えるように形成されており、
前記突出部をもってパンに接するようになっていることを特徴とするパン用補助食器。
【請求項２】
円筒状をなすと共に、一方の筒端に近づくに連れて内径及び外径を共に漸減させるように構成されていることを特徴とする請求項１に記載のパン用補助食器。
【発明の詳細な説明】
【技術分野】
【０００１】
この発明は、パンを載せる食器と一緒に用いられる補助食器、より詳細には、前記食器に置かれてこの食器の上面とパンとの間に間隔を形成させる補助食器に関する。
【背景技術】
【０００２】
パンを焼いて食器に載せた場合、典型的には、食パンをスライスしてトーストとして皿に載せた場合、パンの下側ではパンから生じる蒸気が発散し難くなるため、パンの下側を少なからず湿めらせてしまう。
【発明の概要】
【発明が解決しようとする課題】
【０００３】
この発明が解決しようとする主たる問題点は、パンを焼いて食器に載せた場合に、かかるパンから生じる蒸気に起因した湿り気をパンの下側にできるだけ生じさせないようにする点にある。
【課題を解決するための手段】
【０００４】
前記課題を解決するために、この発明にあっては、パン用補助食器を、パンを載せる食器に置かれてこの食器の上面とパンとの間に間隔を形成させるパン用補助食器であって、
両筒端を共に開放させた筒状をなすと共に、少なくとも一方の筒端が、筒軸を巡る向きにおいて隣り合う突出部との間に間隔を開けて三つ以上の突出部を備えるように形成されており、
前記突出部をもってパンに接するようになっているものとした。
【０００５】
焼きたてのパンからは蒸気が生じるが、補助食器により形成される前記間隔によってかかる蒸気はパンと皿との間に留まることなく発散される。パンには前記突出部をもって接することから、補助食器とパンとの接触箇所を減少させて、隣り合う突出部間からも前記蒸気を発散させることが可能とされる。また、かかる突出部は、前記筒軸を巡る向きにおいて隣り合う突出部との間に間隔を開けて三つ以上設けられることから、補助食器上にパンを安定的に支持させることができる。
【０００６】
前記補助食器は、これを円筒状をなすように構成すると共に、一方の筒端に近づくに連れて内径及び外径を共に漸減させるように構成させておくこともある。このようにした場合、一つの補助食器の内側に他の補助食器を入れ込むようにして複数の補助食器を重ねることができ、複数の補助食器を収納や保管し易くなる。
【発明の効果】
【０００７】
この発明によれば、パンを焼いて食器に載せた場合に、かかるパンから生じる蒸気に起因した湿り気をパンの下側にできるだけ生じさせないようにすることができる。
【図面の簡単な説明】
【０００８】
【図１】この発明の一実施の形態にかかる補助食器（第一例）の斜視図である。
【図２】第一例にかかる補助食器の側面図である。
【図３】第一例にかかる補助食器の平面図である。
【図４】第一例にかかる補助食器の使用状態を示した側面図である。
【図５】この発明の一実施の形態にかかる補助食器（第二例）の斜視図である。
【図６】この発明の一実施の形態にかかる補助食器（第三例）の斜視図である。
【図７】この発明の一実施の形態にかかる補助食器（第四例）の斜視図である。
【図８】この発明の一実施の形態にかかる補助食器（第五例）の斜視図である。
【図９】この発明の一実施の形態にかかる補助食器（第六例）の斜視図である。
【発明を実施するための形態】
【０００９】
以下、図１〜図９に基づいて、この発明の典型的な実施の形態について、説明する。この実施の形態にかかる補助食器１は、パンＰを載せる食器Ｗに置かれてこの食器Ｗの上面とパンＰとの間に間隔ｘを形成させるものである。かかる補助食器１は、典型的には、トーストＰ’を載せる皿Ｗ’に置かれ、皿Ｗ’の上面とトーストＰ’との間に間隔ｘを形成させるために用いられる。（図４）焼きたてのトーストＰ’からは蒸気が生じるが、補助食器１により形成される前記間隔ｘによってかかる蒸気はトーストＰ’と皿Ｗ’との間に留まることなく発散される。これにより、食事が済むまでの間、前記蒸気に起因した湿り気をトーストＰ’に与えてしまうことがなく、サクサクとしたトーストＰ’の食感の維持が可能となる。
【００１０】
かかる補助食器１は、両筒端３、３を共に開放させた筒状をなすように構成されている。図示の例では、補助食器１は、薄板を周回状にさせてなる筒側部２を有している。図１〜図４に示される第一例、図８に示される第五例及び図９に示される第六例では、補助食器１は円筒状をなすように形成されている。図５に示される第二例では、補助食器１は筒軸に直交する断面においてその輪郭を三角形状とする角筒状をなすように形成されている。図６に示される第三例では、補助食器１は筒軸に直交する断面においてその輪郭を四角形状とする角筒状をなすように形成されている。図７に示される第四例では、補助食器１は円筒状をなしているが、その一部に筒軸に沿ったスロット状の割り欠き６が設けられている。
【００１１】
また、かかる補助食器１は、少なくとも一方の筒端３が、筒軸を巡る向きにおいて隣り合う突出部４との間に間隔を開けて三つ以上の突出部４を備えるように形成されている。前記第一例では、円筒体の筒端３に、その筒軸を巡る向きに隣り合う凹所５との間にそれぞれ略等しい間隔を開けて複数の凹所５を形成させるようにすることで、隣り合う凹所５間にそれぞれ前記突出部４を備えた補助食器１の筒端３を形成させている。図示の例では、各突出部４は略同寸同形となっているが、各突出部４は必ずしも同寸同形である必要はなく、例えば、前記筒軸を巡る向きの突出部４の長さを異にする複数の突出部４から補助食器１の筒端３を形成させるようにしても構わない。第一例では、突出部４の突き出し先端縁は、筒軸に略直交した直線状を呈している。これにより、第一例では、補助食器１の一方の筒端３は王冠状を呈している。図８に示される第五例では、円筒体の筒端３を波形をなすように成形して、隣り合う凹所５間にそれぞれ前記突出部４を備えた補助食器１の筒端３を形成させている。
【００１２】
そして、かかる補助食器１は、前記突出部４をもってパンＰに接するようになっている。（図４）すなわち、かかる補助食器１は、他方の筒端３を食器Ｗの上面に接しさせてこの食器Ｗ上に置かれ、そして、一方の筒端３を構成する前記突出部４の突き出し先端縁をパンＰに接しさせて補助食器１を介して食器Ｗ上にパンＰを支持するようになっている。典型的には、トーストＰ’の一面に前記突出部４を接しさせて前記食器Ｗ上にトーストＰ’を水平に支持するようになっている。これにより、補助食器１とパンＰとの接触箇所を減少させて、隣り合う突出部４間からも前記蒸気を発散させることが可能とされる。前記第五例のように突出部４を波形の山状に形成した場合、かかる接触箇所を最小化させることができる。また、かかる突出部４は、前記筒軸を巡る向きにおいて隣り合う突出部４との間に間隔を開けて三つ以上設けられることから、補助食器１上にパンＰを安定的に支持させることができる。図９に示される第六例では、補助食器１の一方の筒端３のみならず他方の筒端３にも一方の筒端３と同様に突出部４を備えさせている。このようにした場合、食器Ｗ上に補助食器１を、前記一方の筒端３を上にする向きで置いても、他方の筒端３を上にする向きで置いても、前記突出部４をもって補助食器１上にパンＰを支持するようにすることができる。
【００１３】
前記第二例では、断面輪郭形状を三角形状とする補助食器１の各辺の中央にそれぞれ、突出部４を形成させている。また、前記第三例では、断面輪郭形状を四角形状とする補助食器１の各辺の中央にそれぞれ、突出部４を形成させている。
【００１４】
補助食器１の上下方向の寸法は、小さすぎると前記蒸気を発散させ難く、また、大きすぎるとパンＰを安定的に支持させ難くなることから、１０ｍｍ〜３０ｍｍの範囲とすることが好ましい。
【００１５】
また、補助食器１の水平方向の大きさは、小さすぎるとパンＰを安定的に支持し難くなる反面、大きすぎると食べかけのトーストＰ’などを支持し難くなることから、補助食器１により囲われた空間の水平方向（筒軸に直交する方向）の面積が１５ｃｍ2〜２５ｃｍ2の範囲となるようにすることが好ましい。
【００１６】
補助食器１は公知の種々の材料から構成可能であるが、成形し易く、割れ難く、軽量で、安価に提供可能という観点からは、プラスチック製とすることが最適である。
【００１７】
また、前記第一例、第四例、第五例及び第六例に示される補助食器１は、円筒状をなすと共に、一方の筒端３に近づくに連れて内径及び外径を共に漸減させるように構成されている。このようにした場合、一つの補助食器１の他方の筒端３側からその内側に他の補助食器１をその一方の筒端３側から入れ込むようにして複数の補助食器１を重ねることができ、複数の補助食器１を収納や保管し易くなる。
【符号の説明】
【００１８】
Ｐ  パン
Ｗ  食器
ｘ  間隔
１  補助食器
３  筒端
４  突出部
【図１】
2014161479.tif 000003
【図２】
2014161479.tif 000004
【図３】
2014161479.tif 000005
【図４】
2014161479.tif 000006
【図５】
2014161479.tif 000007
【図６】
2014161479.tif 000008
【図７】
2014161479.tif 000009
【図８】
2014161479.tif 000010
【図９】
2014161479.tif 000011